(57)【要約】【課題】ストラップの引張り荷重に耐えられる強度を有しながら、表面加飾を施すことが可能な強度の弱い材料を用いて筺体を作る。【解決手段】カメラ１０の筺体を前・後カバー１６，１８とこれらに挟持される装飾カバー１７とで構成する。前カバー１６にはストッパ部材３１が形成されている。ストッパ部材３１には開放側を後カバー１８に向けた姿勢の切り欠き部４２が形成されている。切り欠き部４２にはストラップ装着部材１５にキノコ状に設けた取付部３３の軸が係合する。装飾カバー１７にはストラップ取付穴１９を外部に露呈させるための開口３０が形成されている。ストップ部材３１に取付部３３の軸を挿入して仮止めしておいてから、ストラップ取付穴１９が開口３０から露呈するように装飾カバー１７を前カバー１６に嵌め込むことで、ストラップ装着部材１５が装飾カバー１７の内部で前カバー１６に固定される。【選択図】図４
2007128997.tif 000002
【特許請求の範囲】
【請求項１】
複数の外カバーで構成される筺体に、ストラップを装着するためのストラップ取付穴と前記外カバーの何れかに取り付けるための取付部とを有するストラップ装着部材を取り付けるための電子機器用ストラップ取付構造において、
前記複数の外カバーのうちの互いを嵌め合い方向に沿って嵌め合わせることで前記筺体の一部を構成する一対の外カバーと、
前記一対の外カバーのうちの一方の外カバー、又は前記一方の外カバーの内側に取り付けられる内部部品に一体に設けられており、前記取付部に係合して前記ストラップ装着部材の前記嵌め合い方向に対して交差する交差方向への移動を阻止するストップ部材と、
前記筺体の表面のうちの少なくとも一表面に装飾面を露呈するように前記一対の外カバーの合わせ目のうちの一部の合わせ目との間に嵌め込み固定され、固定されることで前記一対の外カバーとともに前記筺体の一部又は全部を形成するとともに、前記取付部が前記ストップ部材に係合した状態のストラップ装着部材を前記ストラップ取付穴が外部に露呈する姿勢で前記交差方向に向けて挿通する開口を有し、前記開口の周縁の一部が前記ストラップ装着部材の外周の一部に当接して前記ストラップ装着部材の前記嵌め合い方向への移動を阻止する装飾カバーと、
を備えたことを特徴とする電子機器用ストラップ取付構造。
【請求項２】
前記開口の周縁の全部又は一部には、前記ストラップ装着部材の周縁の全部又は一部に設けた段差部に係合して前記ストラップ装着部材の前記開口からの抜け止めを行うストッパ突起が設けられていることを特徴とする請求項１記載の電子機器用ストラップ取付構造。
【請求項３】
前記装飾カバーには、外部に露呈する操作部が設けられていることを特徴とする請求項１又は２記載の電子機器用ストラップ取付構造。
【請求項４】
前記取付部には、軸と、その先端に前記軸から外周に張り出して設けた鍔とが設けられており、
前記ストップ部材には、前記軸の幅と同じ又はそれよりも僅かに大きな幅で、かつ、前記鍔よりも小さい幅で前記嵌め合い方向に沿って延びている切り欠き部が設けられており、
前記ストラップ装着部材は、前記軸が前記切り欠き部に嵌め合い方向から挿入されることで前記交差方向への移動が阻止されて前記ストップ部材に仮止めされることを特徴とする請求項１ないし３いずれか記載の電子機器用ストラップ取付構造。
【請求項５】
前記取付部には、軸と、その先端に設けた鍔とが設けられており、
前記ストップ部材には、挿入用大穴と、それよりも細幅の嵌合通路穴とを繋げた錠穴が設けられており、
前記ストラップ装着部材は、前記鍔を前記挿入用大穴に挿入した後に前記取付部を前記嵌合通路穴に向けて移動して前記軸を前記嵌合通路穴に係合することで前記交差方向への移動が阻止されて前記ストップ部材に仮止めされることを特徴とする請求項１ないし３いずれか記載の電子機器用ストラップ取付構造。
【発明の詳細な説明】
【技術分野】
【０００１】
本発明は、電子機器、例えばデジタルカメラや音楽再生機器などにストラップを取り付けるための電子機器用ストラップ取付構造に関する。
【背景技術】
【０００２】
従来から、携帯型電子機器には、手や首に吊り下げるためのストラップを取り付けるためのストラップ装着部が外カバーに露呈して設けられている。ストラップ装着部には、ストラップの紐を通すためのトンネル状の開口が形成されている（特許文献１）。また、ストラップの紐が捻れないように、ストラップ装着部がそれの取付面に対して垂直な軸を中心に回転自在となっているタイプもある（特許文献２）。
【０００３】
特許文献１に記載の携帯電子機器用ストラップの取付構造の発明では、筺体の表面に開口を有する凹部を設け、その凹部内にストラップの取付紐を係止するためのストラップ係止部材（支柱）を出没自在に設け、ストラップ係止部材を退避位置にしてからストラップの取付紐を凹部内に挿入し、ストラップ係止部材を突出位置に移動させてストラップ係止部材をストラップの取付紐の輪に通すことでストラップの取付紐が筺体に係止される。
【０００４】
特許文献２に記載のストラップ装着部材の取付構造の発明では、互いに嵌め合わせて接合することにより筺体を形成する一対のケースのうちの一方のケースに形成した挿通孔に、ストラップ装着部材をケースの外部から内部に向けて挿通し、その後、互いのケースを嵌め合わせる。このとき、ストラップ装着部材の挿入側端部に設けた溝に、他方のケースに設けたフォーク状の係止部材をケースの内側で嵌め合わせ方向から係合してストラップ装着部材の抜け止めを行っている。
【特許文献１】特開２００１−９４６５０号公報
【特許文献２】特開２００５−３１２５０号公報
【発明の開示】
【発明が解決しようとする課題】
【０００５】
しかしながら、特許文献１に記載のストラップ取付構造では、ストラップの輪を係止するストラップ係止部材が筺体に直接的に取り付けられているため、筺体の強度を必要とする。このため、筺体の材料として強度の弱いプラスチック材料などを使用することができず、よって、筺体の表面加装飾に制限を受けることになる。
【０００６】
特許文献２に記載のストラップ取付構造では、一対のケースを嵌め合わせるときに、ケースの内部で係止部材がストラップ装着部材の溝に挿入される。このとき、係止部材が溝に挿入されたか否かをケースの外部から視認できないため、係止部材が溝に挿入されていない組立不良が発生するおそれがある。
【０００７】
本発明では、ストラップの引張り荷重に耐えることができる強度を保ちながら、筺体への表面加飾の制限を受けることがない材料を使用することができ、しかも、確実な取り付けが行えるストラップ取付構造を提供することを目的とする。
【課題を解決するための手段】
【０００８】
本発明は、筺体を構成する複数の外カバーのうちの互いを嵌め合い方向に沿って嵌め合わせることで前記筺体の一部を構成する一対の外カバーと；前記一対の外カバーのうちの一方の外カバー、又は前記一方の外カバーの内側に取り付けられる内部部品に一体に設けられており、前記取付部に係合して前記ストラップ装着部材の前記嵌め合い方向に対して交差する交差方向への移動を阻止するストップ部材と；前記筺体の表面のうちの少なくとも一表面に装飾面を露呈するように前記一対の外カバーの合わせ目のうちの一部の合わせ目との間に嵌め込み固定され、固定されることで前記一対の外カバーとともに前記筺体の一部又は全部を形成するとともに、前記取付部が前記ストップ部材に係合した状態のストラップ装着部材を前記ストラップ取付穴が外部に露呈する姿勢で前記交差方向に向けて挿通する開口を有し、前記開口の周縁の一部が前記ストラップ装着部材の外周の一部に当接して前記ストラップ装着部材の前記嵌め合い方向への移動を阻止する装飾カバーと；を備えたものである。
【０００９】
これによれば、ストラップ装着部材を一方の外カバーのストップ部材に固定するようにしたから、装飾カバーにはストラップ紐の引張り力が掛かることがない。このため、装飾カバーとしては、強度の弱い樹脂材料などを使え、よってこれに表面加飾を施すことができる。このような装飾を施すことが出来る装飾カバーに操作部を設けることで、さらに操作部の周りにも化粧を施すことができる。なお、表面加飾としては、成型と同時に行える一次加飾と、成型後に行える二次加飾とがある。
【００１０】
ところで、ストラップ装着部材の取付部を装飾カバーの開口に挿入する構成では、取付部を設けたストラップ装着部材の取付面の周縁と装飾カバーの開口の周縁との間に隙間が生じて、内部が見えてしまうおそれがある。このようになるとで見栄えが悪い。この場合には、開口の周縁の全部又は一部に、ストラップ装着部材の周縁の全部又は一部に設けた段差部に係合してストラップ装着部材の開口からの抜け止めを行うストッパ突起を設けるのが望ましい。このようにすれば、前記隙間を隠すことができるので、見栄えが良くなる。しかも、ストップ部材とストッパ突起との二重の部材でストラップ装着部材の抜け止めが行える。
【００１１】
ストラップ装着部材は、ストップ部材に仮止めした後に、装飾カバーを取り付けてストラップ取付穴を開口から外部に露呈させる。仮止めの構造としては、ストラップ装着部材がストップ部材に対して交差方向に抜けないように阻止する作用が必要である。この構造としては、例えば、取付部に、軸と、その先端に前記軸から外周に張り出して設けた鍔とを設け、また、ストップ部材に、前記軸の幅と同じ又はそれよりも僅かに大きな幅で、かつ、前記鍔よりも小さい幅で前記嵌め合い方向に沿って延びている切り欠き部を設けて、前記軸が前記切り欠き部に嵌め合い方向から挿入されることで前記交差方向への移動が阻止されてストラップ装着部材がストップ部材に仮止めされるようにしてもよい。
【００１２】
また、他の例としては、取付部に、軸と、その先端に設けた鍔とを設け、また、ストップ部材に、挿入用大穴と、それよりも細幅の嵌合通路穴とを繋げた錠穴を設けて、前記鍔を前記挿入用大穴に挿入した後に前記取付部を前記嵌合通路穴に向けて移動して前記軸を前記嵌合通路穴に係合することで前記交差方向への移動が阻止されてストラップ装着部材がストップ部材に仮止めされるように構成してもよい。
【発明の効果】
【００１３】
本発明では、一方の外カバーに装飾カバーを嵌め合わせる前に、ストラップ装着部材をストップ部材に交差方向に動かないように仮止めしておき、その後に、装飾カバーを一方の外カバーに嵌め合わせることで、ストラップ装着部材が開口に交差方向から挿入されてストラップ取付穴が外部に露呈される。これにより、ストラップ装着部材は、ストップ部材により交差方向への移動が阻止され、かつ、開口の周縁の一部でストラップ装着部材の嵌め合い方向への移動が阻止される。このように、ストラップ装着部材が装飾カバーの表面から抜けないように一方の外カバーに固定されるため、装着カバーにストラップの引張り力が掛かることがなく、よって、表面加飾を自由に施すことができる強度の弱い樹脂材料などで装飾カバーを作ることができる。
【発明を実施するための最良の形態】
【００１４】
本発明を採用した電子機器をデジタルカメラとして説明する。デジタルカメラ１０は、図１及び図２に示すように、電源スイッチ１１、シャッタボタン１２、鏡筒１３、ＬＣＤ表示部１４、及びストラップ装着部材１５などが外カバーの外部に露呈して配されており、電源スイッチ１１をＯＮすると、鏡筒１３が外カバーの前面から突出して撮影準備状態になる。撮影準備状態になると、鏡筒１３が保持した撮影レンズにより結像した画像が撮像センサにより電気信号に変換されてその画像がＬＣＤ表示部１４にスルー画像として表示される。そして、シャッタボタン１２を押すことに応答してその時点の画像のデータが内部メモリに記録される。
【００１５】
外カバーは、厚みの薄い筺体を構成しており、前カバー１６、装飾カバー１７、及び、後カバー１８とで構成されている。装飾カバー１７は、カメラ正面から見て上面の一部から左側面の一部に繋がるＬ字状のカバー部材であり、前・後カバー１６，１８との間で挟持される。装飾カバー１７は表面加飾を施すことができるように強度の弱い樹脂材料で形成されており、装飾カバー１７の表面には表面加飾が施されている。その表面のうちの左側面には、電源スイッチ１１やストラップ装着部材１５が、また、上面にはシャッタボタン１２などが外部に露呈してそれぞれ設けられている。
【００１６】
ストラップ装着部材１５は、本発明のストラップ取付構造の一部を構成しており、ストラップ装着部材１５のうちの装飾カバー１７から外部に露呈される部位には、光軸２２ａの方向に貫通したストラップ取付穴１９が設けられている。ストラップ取付穴１９には、ストラップ２０の一端２１が係止される。なお、ストラップ取付穴１９を光軸２２ａに交差する方向に貫通してもよい。
【００１７】
外カバーの内部には、図３に示すように、鏡筒ユニット２２や回路基板２３などが収納されている。鏡筒ユニット２２は、鏡筒１３が組み込まれている。この鏡筒１３は、撮影時に前カバー１６の前面に設けた鏡筒用窓２４を通して進退する。回路基板２３には、ＬＣＤ表示部１４が保持されているとともに、カメラ１０を統括的に制御する回路などが実装されている。ＬＣＤ表示部１４は、後カバー１８に設けた開口２５から外部に露呈される。前・後カバー１６，１８は、光軸２２ａと平行な方向（嵌め合い方向）に嵌め合わされて固定される。
【００１８】
ストラップ取付構造は、図４ないし図６に示すように、ストラップ装着部材１５に加えて、開口３０、及び、ストップ部材３１で構成されている。開口３０は、装飾カバー１７に形成されており、開口３０には、ストラップ取付穴１９が外部に露呈する姿勢でストラップ装着部材１５が装飾カバー１７の裏面から表面に向けて挿入される。
【００１９】
ストラップ装着部材１５には、装飾カバー１７の内側に配される取付面３４に、キノコ状の取付部３３が一体に設けられている。この取付部３３は、断面矩形の軸３５と、その軸３５の端に設けた鍔３６とで構成されている。軸３５は、取付面３４から突出している。なお、ストラップ装着部材１５を開口３０に挿入する方向は、光軸２２ａに交差する方向（交差方向）となっており、軸３５の突出方向を交差方向に合わせた姿勢でストラップ装着部材１５を開口３０に挿入する。鍔３６は、軸３５の端から交差方向に向けて入り出して形成されている。これにより、鍔３６と取付面３４との間には、溝３７が形成される。
【００２０】
前・後カバー１６，１８との合わせ目の一部には、装飾カバー１７を嵌め込むための切り欠き４０，４１がそれぞれ形成されている。ストップ部材３１は、前カバー１６の切り欠き４０から嵌め合い方向に向けて板状に突出した部材となっており、前カバー１６に一体に形成されている。このストップ部材３１には、開放側を後カバー１８に向けて切り欠いたコ字状の切り欠き部４２が形成されている。この切り欠き部４２には、取付部３３の軸３５が嵌め合い方向から挿入され、ストラップ装着部材１５が開口３０から抜け出ることを防止する。
【００２１】
図５において、切り欠き部４２の高さ方向の切り欠き長さは、断面矩形の軸３５の高さ方向の長さと同じか、又はそれよりも僅かに長い長さとなっている。これにより、軸３５の回転を切り欠き部４２の上・下の切り欠き面が規制するため、これら部材３５，４２がストラップ装着部材１５の回転止めを行っている。
【００２２】
なお、ストラップ装着部材１５の回転止めとしては、開口３０の周縁の全周又は一部を、ストラップ装着部材１５の外周の全部又は一部に当接させることで行ってもよい。この場合には、軸３５を断面円形にしてここでの回転止めの作用を省略してもよいし、両方を用いて協働で回転止めの作用を行うようにしてもよい。
【００２３】
このようなストラップ取付構造の作用を簡単に説明する。まず、ストラップ装着部材１５を前カバー１６に組み込む。この組み込みは、取付部３３の軸３５をストップ部材３１の切り欠き部４２に、光軸２２ａと平行な方向に沿って挿入する。その後、前カバー１６に装飾カバー１７を嵌め込む。この嵌め込み方向は、光軸２２ａに交差する方向となっている。このとき、開口３０からストラップ取付穴１９が外部に露呈するようにストラップ装着部材１５を開口３０に通す。装飾カバー１７と前カバー１６の切り欠き４０との合わせ目は、光軸２２ａと平行な方向にスライドして嵌め合わせることができる凹凸形状、又はラビリンス形状となっている。また、これら凹凸の嵌め合いはシメシロができる寸法公差となっている。このため、装飾カバー１７は前カバー１６に固定される。
【００２４】
この状態では、ストラップ装着部材１５の外周が開口３０の周縁に当接してストラップ装着部材１５の嵌め合い方向への移動が阻止され、かつ、ストラップ装着部材１５の軸３５がストップ部材３１の切り欠き部４２により抜け止めされているので、ストラップ装着部材１５の交差方向への移動も阻止されている。このため、ストラップ装着部材１５が装着カバー１７又は前カバー１６から脱落することがなく、よって、このままで一体的に取り扱える。このため、組立作業が簡便になる。また、この時点では未だ後カバー１８を取り付けていないので、切り欠き部４２と軸３５との係止作業、及び、ストラップ装着部材１５を開口３０に挿通する作業とを視認しながら行える。このため、組立性が向上する。
【００２５】
最後に、後カバー１８を前カバー１６に取り付けることで、装飾カバー１７が前・後カバー１６，１８の切り欠き４０，４１の間で挟持されて、本発明の筺体に相当する外カバーが作られる。勿論、外カバーの内部には、鏡筒ユニット２２や回路基板２３などのデジタルカメラに必要な構成要素が組み込まれているので後カバー１８を取り付けることでデジタルカメラ１０が完成する。
【００２６】
このように、ストラップ装着部材１５を装飾カバー１７ではなく、前カバー１６のストップ部材３１で抜け止めしているから、装飾カバー１７を強度の弱い樹脂材料を用いて作れ、よって、これに表面加飾を簡単にかつローコストで施すことができる。ここで、ストラップ２０の引張り強度に耐えるように、ストラップ装着部材１５及び前カバー１６の材料としては、金属又は高強度樹脂を用いるのが望ましい。
【００２７】
また、溝３７の幅は、ストップ部材３１の厚みと同じか、又はそれよりも薄い厚みにするのが、ガタツキがなくなるため、望ましい。なお、ストップ部材３１としては、前カバー１６の切り欠き４０の合わせ目から突出させているが、合わせ目から一段奥まった内側から突出させてもよい。
【００２８】
ところで、上記実施形態では、前カバー１６にストップ部材３１を一体に設けているが、本発明では前カバー１６に限らず、後カバー１８に一体に設けても良い。さらに、前カバー１６の内側に取り付けられる別の部材にストップ部材を設けてもよいし、後カバー１８の内側に取り付けられる他の部材にストップ部材を設けてもよい。
【００２９】
図７に示す実施形態では、前カバー１６の内側に取り付けられる電池フレーム５０に、ストップ部材５１を一体に設けている。前カバー１６と後カバー１８との合わせ目には、下面の一部に電池蓋４９が開閉自在に取り付けられている。この電池蓋４９の奥には、電池を収納する電池ボックス５２と、電池フレーム５０とが配されている。電池ボックス５２及び電池フレーム５０は、前カバー１６の裏面に嵌め合い方向から挿入されて前カバー１６の裏面の所定の位置に固定される。ストップ部材５１は、嵌め合い方向のうちの前カバー１６の裏面に板状に突出した形状となっており、電池フレーム５０の側面に一体に設けられている。
【００３０】
ストップ部材５１には、詳しくは図７及び図８に示すように、開放側を前カバー１６の裏面に向けて切り欠いた切り欠き部５４が形成されている。この切り欠き部５４に軸３５が挿入される。
【００３１】
また、前カバー１６には、装飾カバー１７を取り付けるまでにストラップ装着部材１５を仮止めしておくための仮止め部材５５が一体に形成されている。仮止め部材５５は、前カバー１６の切り欠き４０から後カバー１８に向けて板状に突出して形成されている。この仮止め部材５５には、軸３５を受け入れるために開放側を後カバー１８に向けて切り欠いた軸受け入れ部５６が形成されている。軸受け入れ部５６は、軸３５を受け入れる方向に開放側を向けたコ字状に切り欠かれている。この仮止め部材５５とストップ部材５１とは、前・後カバー１６，１８を嵌め合わせたときに、図９に示すように、交差方向において前後にずれて配されている。
【００３２】
組立は、まず、ストラップ装着部材１５を前カバー１６の仮止め部材５５に仮止めする。この作業は、ストラップ装着部材１５の軸３５を仮止め部材５５の軸受け入れ部５６に挿入する。軸３５は、断面矩形となっているので、軸３５の上・下面が軸受け入り部５６の上・下面で軸３５回りに回転しないように仮に支持され、また、軸受け入れ部５６が軸３５の溝３７を構成する鍔３６の面３６ａと取付面３４との間で抜けないように仮に支持される。
【００３３】
このように、前カバー１６にストラップ装着部材１５を仮止めした後に、前カバー１６の内面に電池フレーム５０を取り付ける。このとき、電池フレーム５０に設けたストップ部材５１の切り欠き部５４が、ストラップ装着部材１５の溝３７に入り込むように取り付ける。このとき、図９に示すように、ストップ部材５１が仮止め部材５５の内側に入り込むように行う。この作業も未だ後カバー１８が取り付けられていないため、視認しながら行える。
【００３４】
これにより、ストラップ装着部材１５は、二重の板で抜け止めがなされるため、ストラップ装着部材１５の引張り強度を頑固にすることができる。なお、軸受け入れ部５６と切り欠き部５４とは、互いに開放側を対向させたＵ字状の切り欠きとなっているため、ストラップ装着部材１５が開口３０から露呈される位置で軸３５を挟み込むように互いの切り欠きの深さを決めて軸受け入れ部５６と切り欠き部５４と形成することで、これら部材５６，５４でストラップ装着部材１５の抜け止めも行える。
【００３５】
その後、装飾カバー１７を前カバー１６に交差方向に向けて挿入して、装飾カバー１７を前カバー１６の切り欠き４０に嵌め合わせて固定する。このとき、ストラップ取付穴１９が開口３０を通して外部に露呈するように装飾カバー１７を取り付ける。これにより、嵌め合い方向においてストラップ装着部材１５の外周の一部が開口３０の縁の一部に当接してストラップ装着部材１５の嵌め合い方向への移動が阻止され、かつ、ストラップ装着部材１５が軸３５回りに回転するのも阻止される。最後に、後カバー１８を前カバー１６に嵌め合い方向に挿入して嵌め合わせることで、デジタルカメラが完成する。
【００３６】
ところで、カメラなどの電子機器は多量生産され、ストラップ取付構造を構成する個々の部品の寸法精度を高めると、部品コストが高く付く。寸法精度が悪いと、溝３７の隙間とストップ部材５１の厚みとの間に隙間が生じ、ストラップ装着部材１５が交差方向にガタ付いてしまう不都合が生じるおそれがある。また、開口３０の周縁とストラップ装着部材１５の外周との間に隙間が生じてその隙間から内部が露呈されて見栄えが悪くなる。
【００３７】
そこで、図１０ないし図１２に示す実施例では、開口６０の全縁に設けたストッパ突起６１と、ストラップ装着部材６２の外周に設けた段差部６３とを交差方向で当接させてストラップ装着部材６２の抜け止めを行うように構成するとともに、ストッパ突起６１が当たる段差部６３の当たり面６３ａと取付面６４との間の交差方向に沿う寸法を、段差部６３が当たるストッパ突起６１の当たり面６１ａと、取付面６４が当たるストップ部材６５の当たり面６５ａとの間の交差方向に沿う寸法と同じ、又はこれよりも長い寸法になるように設定している。ここで、ストップ部材６５は、前カバー１６から後カバー１８の方向に板状に突出しているため、先端側が交差方向に弾性変形する。このため、ストッパ突起６１の当たり面６１ａとストップ部材６５の当たり面６５ａとの間でストラップ装着部材６２を交差方向から挟持し、よって、ストラップ装着部材６２の交差方向へのガタ付きがなくなる。なお、ストッパ突起６１を、開口６０の全縁に設けているが、これに限らず、開口６０の上・下縁又は嵌め合い方向に沿う前・後縁など対向する一部の縁に設けてもよい。
【００３８】
また、この実施形態では、取付面６４に取付部６６，６７を２個設け、これら取付部６６，６７をカメラの高さ方向にずらして配しているとともに、相手側の切り欠き部６８，６９も２個設けている。このように構成することで、一対の取付部６６，６７の軸７０，７１が一対の切り欠き部６８，６９に嵌め合い方向から同時に係合するため、ストラップ装着部材６２の仮止め時の回転止めが行える。なお、各取付部６６，６７の軸７０，７１は、断面円形となっており、軸７０，７１の先端には、それぞれ鍔７３，７４が一体に形成されている。
【００３９】
組立は、一対の軸７０，７１を一対の切り欠き部６８，６９に嵌め合い方向から挿入してストラップ装着部材６２を前カバー１６に仮止めする。その後に、装飾カバー１７を前カバー１６に交差方向から嵌め合わせる。このとき、ストラップ装着部材６２を開口６０の内側から外側に向けてから露呈させる。これにより、段差部６３が開口６０に設けたストッパ突起６１に当接して開口６０からのストラップ装着部材６２の抜け止めがなされる。また、段差部６３とストッパ突起６１とが開口３０の全縁で当接するため、ストラップ装着部材１５の嵌め合い方向への移動が阻止されて切り欠き部６８，６９からの抜け止めがなされ、かつ当たり面６５ａに垂直な軸回りでのストラップ装着部材６２の回転止めもなされる。しかも、ストッパ突起６１と段差部６３とを凹凸形状（ラビリンス形状）で嵌合させているため、開口６０とストラップ装着部材６２との間に隙間を通して内部を視認することができなくなる。このため、開口６０の周りの見栄えが良くなる。さらに、この実施形態では、ストップ部材６５に加えてストッパ突起６１でもストラップ装着部材６２の開口６０からの抜け止めを行っているから、頑固な抜け止めが行える。
【００４０】
図１０で説明した実施形態では、一対の軸を一対の切り欠き部に挿入するだけで、ストラップ装着部材６２を前カバー１６に仮止めするため、組立中に切り欠き部６８，６９の開放側に向けて前カバー１６を傾けると、ストラップ装着部材６２が抜けてしまうおそれがある。
【００４１】
そこで、図１３ないし図１５に示す実施形態では、仮止めをすると、ストラップ装着部材７９がストップ部材８２から外れないように工夫している。ストップ部材８２には、一対の錠穴８４，８５が形成されている。
【００４２】
また、ストラップ装着部材７９の取付面６４には、前述したと同じに、点対称の位置に一対の取付部６６，６７がそれぞれ形成されている。取付部６６，６７は、軸７０，７１とその先端に設けた鍔７３，７４とからなるキノコ形状をしている。
【００４３】
一対の錠穴８４，８５は、点対称で配されており、鍔７３，７４が交差方向から入り込む大きさで形成した挿入用大穴８０と、軸７０，７１が入り込む隙間で形成した嵌合通路穴８１とを繋げた形態で形成されている。嵌合通路穴８１は、半円以下の長さの円弧状に形成されており、鍔７４が抜け出ない隙間になっている。そして、嵌合通路穴８１のうちの挿入用大穴８０とは逆側の端８１ａは、ストラップ装着部材７９を開口６０に正しく挿入することができる姿勢で止める位置に設けられている。
【００４４】
一対の挿入用大穴８０の間隔は一対の鍔７３，７４の間隔に合っており、また、一対の嵌合用通路穴８１の間隔は一対の軸７０，７１の間隔に合っている。仮止めをするときには、各取付部６６，６７の鍔７３，７４の各々を一対の挿入用大穴８０に交差方向から挿入し、挿入後に、軸７０，７１が一対の嵌合通路穴８１に入り込む方向に向けてストラップ装着部材７９を回転させる。この回転は、軸７０，７１が嵌合通路穴８１の端８１ａに当たるまで行われる。軸７０，７１が端８１ａに当接すると、ストラップ装着部材７９の姿勢が開口６０に正しく挿入される姿勢になる。このとき、軸７０，７１が嵌合通路穴８１の端８１ａに位置しており、端８１ａが開放されていないため、ストラップ装着部材７９が前カバー１６から外れ難くなる。その後は、前述した実施形態と同じく、装飾カバー１７を交差方向から前カバー１６に嵌めることで、ストラップ取付穴８３が開口６０から外部に露呈される。これにより、ストラップ装着部材７９の開口６０からの抜け止め、及び、ストラップ装着部材７９の回転止めがなされる。
【００４５】
また、この実施形態では、軸７０を嵌合通路穴８１に嵌合させるときのストラップ装着部材７９の回転がスムーズに行えるように、取付面のうちの前記回転の中心に軸部９１を設け、また、ストップ部材８２のうちの前記回転の中心に前記軸部９１が嵌合する軸受け穴９０を設けている。こうすれば、鍔７３を挿入用大穴８０に挿入するときに軸部９１が軸受け穴９０に係合して、その後は軸部９１が軸受け穴９０に沿って回転するため、ストラップ装着部材７９の回転がスムーズになる。なお、嵌合通路穴８１を円弧状に形成しているが、直線状に形成してもよい。この場合は、ストラップ装着部材１９をスライドして仮止めする。
【００４６】
上記各実施形態では、電子機器としてデジタルカメラを例に説明しているが、本発明ではこれに限らず、携帯用電話機や音楽再生機など周知の電子機器などでもよい。また、本発明の筺体に相当する外カバーを、装飾カバー１７以外に前・後カバー１６，１８で構成しているが、本発明ではこれに限らず、上・下に分けたカバーで構成してもよく、また、左右に分けたカバーで構成してもよい。さらに、装飾カバー１７以外に２つのカバーに限定されることはなく、装飾カバー１７以外のカバーを３個以上のカバーで構成し、そのうちの２のカバーで装飾カバー１７を挟持するようにしてもよい。
【図面の簡単な説明】
【００４７】
【図１】デジタルカメラを示す正面側斜視図である。
【図２】デジタルカメラを示す背面側斜視図である。
【図３】デジタルカメラの要部を示す分解斜視図である。
【図４】ストラップ取付構造の要部を示す分解斜視図である。
【図５】ストラップ取付構造の要部を示す縦断面図である。
【図６】ストラップ取付構造の要部を示す横断面図である。
【図７】前カバーに取り付けられる内部部品でストラップ装着部材を固定する例のデジタルカメラの要部を示す分解斜視図である。
【図８】図７で説明したストラップ取付構造を示す分解斜視図である。
【図９】図７で説明したストラップ取付構造を示す横断面図である。
【図１０】ストラップ装着部材の取付部を一対設けるとともに、ストッパ部材の切り欠き部も一対設けた例のストラップ取付構造を示す分解斜視図である。
【図１１】図１０で説明したストラップ取付構造を示す縦断面図である。
【図１２】図１０で説明したストラップ取付構造を示す横断面図である。
【図１３】ストラップ装着部材の取付部を一対設けるとともに、ストッパ部材の切り欠き部も一対設けた例のストラップ取付構造を示す分解斜視図である。
【図１４】図１３で説明したストップ部材の要部を示す正面図である。
【図１５】図１３で説明したストラップ取付構造を示す縦断面図である。
【符号の説明】
【００４８】
１５，６２，７９  ストラップ装着部材
１６  前カバー
１７  装飾カバー
１８  後カバー
１９  ストラップ取付穴
２０  ストラップ
３０，６０  開口
３１，５１，８２  ストップ部材
３３，６６，６７，７６，７７  取付部
３４  取付面
３５，７０，７１，７８  軸
３６，７４  鍔
４２，６８，６９  切り欠き部
【図１】
2007128997.tif 000003
【図２】
2007128997.tif 000004
【図３】
2007128997.tif 000005
【図４】
2007128997.tif 000006
【図５】
2007128997.tif 000007
【図６】
2007128997.tif 000008
【図７】
2007128997.tif 000009
【図８】
2007128997.tif 000010
【図９】
2007128997.tif 000011
【図１０】
2007128997.tif 000012
【図１１】
2007128997.tif 000013
【図１２】
2007128997.tif 000014
【図１３】
2007128997.tif 000015
【図１４】
2007128997.tif 000016
【図１５】
2007128997.tif 000017